(57)【要約】【課題】  携帯性に優れ、スーパーマーケットや小売店等の買物籠にセットし易く、商品を入れ易い買物用袋を提供する。【解決手段】  無結節の菱目編み或いは亀甲編みにより一定の外径と長さ寸法の筒体を作成し、下端は絞り込んで封塞すると共に、その長さ方向に於ける凡そ半分箇所から上方部分を左右対称の手持ち部分に作成するほか、各手持ち部分の起点を挟む両隣り付近の２箇所に買物籠の四隅上端部を係止させる第一スリットを作成した。【選択図】      図２
2008036313.tif 000002
【特許請求の範囲】
【請求項１】
無結節の菱目編み或いは亀甲編みにより一定の外径と長さ寸法の筒体を作成し、下端は絞り込んで封塞すると共に、その長さ方向に於ける凡そ半分箇所から上方部分を左右対称の手持ち部分に作成するほか、各手持ち部分の起点を挟む両隣り付近の２箇所に買物籠の四隅上端部を係止させる第一スリットを作成したものとなしてあることを特徴とする買物用袋。
【請求項２】
上記した左右対称の手持ち部分に２０ｃｍ〜３５ｃｍの手指差し込み用或いは肩掛け用の第二スリットを作成したものとなしてあることを特徴とする請求項１記載の買物用袋。
【請求項３】
筒体径は２５ｃｍ〜５０ｃｍ、長さ寸法は５０ｃｍ〜１００ｃｍとなされることを特徴とした請求項１又は２記載の買物用袋。
【請求項４】
菱目編み或いは亀甲編みの目数は４９〜２１９、網目の大きさは１ｍｍ〜１８ｍｍとなされることを特徴とした請求項１、２又は３記載の買物用袋。
【請求項５】
手持ち部分に於ける第二スリットの上端箇所から５ｃｍ〜１５ｃｍの範囲を１ｍｍ〜８ｍｍの細目編みになしてあることを特徴とする請求項２記載の買物用袋。
【請求項６】
細目編みの上方端縁部を絞り込んで封塞させたものとなしてあることを特徴とする請求項５記載の買物用袋。
【発明の詳細な説明】
【技術分野】
【０００１】
本発明は、スーパーマーケットや小売店等での買い物に適した買物用袋に関する。
【背景技術】
【０００２】
従来から、スーパーマーケットや小売店等での買い物をする際、店の買物籠に購入商品を入れ、レジカウンタにおいて、１つずつ商品の金額を入力して、別の買物籠に移し替え、料金支払い後、更に１つずつ商品を店で用意されたポリ袋等に入れ替えて持ち帰っている。しかし、ポリ袋は一度使用するとゴミになり、限りある資源を無駄にしないため、買物用袋を持参することが行われている。そこで、特許文献１には、ポリ袋を節約すると共に、買物籠から袋へ移し替える手間を省くために、レジカウンタにおいて金額の入力後移し替える買物籠に、持参した買物用袋をセットしておいて、その中に商品を移し替え、支払い後、買物用袋を買物籠から取り出して、そのまま持ち帰ることができるものが示されている。
【０００３】
しかし、特許文献１に示されたものは、買物籠に買物用袋をセットするのに買物用袋の素材が布であるために籠と袋の間に空間ができやすいこと、商品を買物用袋に移し替えるのに買物用袋の外側から袋の中身を見ることができないこと、この２つの難点があるために手元を確認しながら商品を転倒させることなく買物籠から買物用袋へ商品を移し替えるのに時間と手間を多く要するという問題がある。一方特許文献２には携帯性に優れ横方向に伸縮する網状の買物用袋が示されているが、これには買物籠にセットする機能がなく、購入済みの商品を買物用袋へ入れるのに、買物用袋の口を安定させ難いために商品を入れにくい、という問題がある。
【特許文献１】特開２００１−８７０２２号
【特許文献２】実用新案登録第３０７７４１３号
【発明の開示】
【発明が解決しようとする課題】
【０００４】
本発明は、上記の問題点を解決するもので、携帯性に優れ、買物籠にセットし易く、商品を入れ易い買物用袋を提供することを目的とするものである。
【課題を解決するための手段】
【０００５】
本発明に係る買物用袋は、無結節の菱目編み或いは亀甲編みにより一定の外径と長さ寸法の筒体を作成し、下端は絞り込んで封塞すると共に、その長さ方向に於ける凡そ半分箇所から上方部分を左右対称の手持ち部分に作成するほか、各手持ち部分の起点を挟む両隣り付近の２箇所に買物籠の四隅上端部を係止させる第一スリットを作成したものとなしてあることを特徴とする。その際、上記した左右対称の手持ち部分に２０ｃｍ〜３５ｃｍの手指差し込み用或いは肩掛け用の第二スリットを作成したりする。このさい、筒体径は凡そ２５ｃｍ〜５０ｃｍ、長さ寸法は凡そ５０ｃｍ〜１００ｃｍになすのであり、また菱目編みや亀甲編みの目数は一般的に４９〜２１９、網目の大きさは１ｍｍ〜１８ｍｍになされるのである。さらに、手持ち部分に於ける第二スリットの上端箇所から５ｃｍ〜１５ｃｍの範囲を１ｍｍ〜８ｍｍの細目編みになしたり、該細目編みの上方端縁部を絞り込んで封塞させたものとなしたりする。
【発明の効果】
【０００６】
本発明品は以上の如く構成するのであり、菱目編みや亀甲編みの筒体が、横方向に伸縮するため、内容物を入れない場合には小さく折り畳んで常に携帯を簡便にすることができるのである。而して、買物籠から商品を移し替える際には横方向に大きく拡げて使用するのであり、今もしこれをレジカウンタで別途の買物籠を使用して行う場合には該買物用袋に作成してある第一スリットを買物籠の四隅上端部に係止させることより、セットした買物用袋がずれたりすることなく簡便且つ迅速に入れ替えを行うことができる。また、入れ替えの際に網目から商品が転倒せず移し替えられているかを確認することもできる。なお、上記はレジカウンタで店員若しくは当事者が行う動作であるが、当事者が当初に買物籠へ取付けておくことによりレジカウンタに於ける詰め変え動作を省略させることもできる。上記した左右対称の手持ち部分に手指差し込み用或いは肩掛け用の第二スリットを作成したものでは、後述する肩掛けによる持ち運びを可能にして便利なものとなる。
【０００７】
筒体径を２５ｃｍ〜５０ｃｍ、長さ寸法を５０ｃｍ〜１００ｃｍとなしものは、通常の買物籠のサイズに適しており、また菱目編みの目数を４９〜２１９、網目の大きさを１ｍｍ〜１８ｍｍとなしたものは、携帯性及び内容物が抜け落ちることのない上で優れる。さらに、手持ち部分に於ける第二スリットの上端箇所から５ｃｍ〜１５ｃｍの範囲を１ｍｍ〜８ｍｍの細目編みになしたものは、切断時のほつれ止めや、該部を手持ちしたり、肩掛けしたりするさいに細目の部分が手指や肩になじみ易くて違和感の無いものとなる上で優れ、細目編みの上方端縁部を絞り込んで封塞させたものとなしたものは、持ち易いものとなる。
【発明を実施するための最良の形態】
【０００８】
以下、図面に示す実施の態様について説明する。
図１は本発明に係る買物用袋１の作成図、図２はその下端を絞り込んで作成した製品斜視図、図３及び図４は上記買物用袋の使用説明図である。各図において１は買物用袋、２は第一スリットである。
【０００９】
買物用袋１は、合成樹脂、綿、ウールなどの材質で、筒状の網体に作成されるのであり、このさい図示例は無結節の菱目編みとなしたものを示す。該菱目編みの筒体３の大きさは直径Ｒが２５ｃｍ〜５０ｃｍ、長さ寸法Ｌ１が５０ｃｍ〜１００ｃｍであり、且つその目数は、筒体３の胴回りにおいて、４９目〜２１９目、好ましくは１０４目程度になされるのである。一般的な網目の大きさは、４９目のものが１５ｍｍ〜１８ｍｍ、２１９目のものが３．５ｍｍ〜４ｍｍで、１０４目のものが７．５ｍｍ〜８．５ｍｍとなされる。
【００１０】
上記に係る菱目編みの買物用袋は無結節組網機により編成されるのであり、上記構成の編成途中で即ちその長さ方向に於ける凡そ半分箇所から上方部分を左右方向（イ、ロ）へ分離する仕切り編みになし、且つ該仕切り編み箇所の起点ｍを対称にしてこれを挟む状態に第一スリット２が設けてある。ここで該第一スリット２が上記起点ｍから離間する寸法ｋは、後述する買物籠の大きさに応じて適宜異なる寸法のものに設計することができるが、現状のスーパーマーケットで使用されている一般的対応の大きさに対して６ｃｍ〜１２ｃｍとなし、またその長さ寸法ｇは８ｃｍ〜１２ｃｍとなされる。このさい該第一スリット２の編成は、一般的に編成途中の網目を該部で適宜仕切り編みの構成に変換させて行うのであるが、素材が合成樹脂材の場合には編成後に溶着切断して作成するようになしても良い。
【００１１】
上記構成の筒状網体の下端４は絞り込んで一体化させるのであり、一体化には縫着やリング締めなど各種の手段を採用できるが、素材が合成樹脂材の場合は合体部を加熱圧着させることによって行うこともできる。図２は斯くして構成される本発明になる買い物袋１の展開斜視図であり、図３及び図４はこれをスーパーなどで買物籠に取付けて使用する状態を示すものである。
【００１２】
本発明の買物用袋を買物籠７にセットする際には、それが菱目編みや亀甲編みで横方向に伸縮する網袋であるため、該買物用袋１を買物籠内７で横方向に大きく拡げると共に、４箇所の第一スリット２の夫々れを買物籠７の四角上端部に引っ掛るのであり（図３参照）、これにより買物用袋１が確実に買物籠７にセットされて直接的な商品の投入を可能なさしめるのである。
【００１３】
今、もし商品にＩＣタグが取付けられている場合には、レジカウンタにおいて１つずつ商品の金額を入力して商品を入れ替えをしたりする必要がないため、図４に示す如く、買物籠の手持ち部分８を上方に出して買物用袋１をセットし、買い物をすることができる。而して、レジカウンタにおいては買物籠を通過させるだけで金額の入力も可能となる。このさい、買物用袋１が網体であることは、買物籠７の中身を全周から見ることができ、不正入力の防止上にも役立つことができる。
【００１４】
図５及び図６は本発明になる買物用袋１に品物を入れて手持ちした状態の説明図であって、このさい図５は手持ち部分５の下方を結んだものであるが、図６は、手持ち部分５を上方で結んで肩にも掛けられるようにしたものである。
【００１５】
図７及び図８は本発明に係る買物用袋１’の他の例を示すものである。図７はその作成図であって、本例では上記例に比べ手持ち部分となる上方箇所で左右方向（イ）（ロ）へ分離した両側端付近に比較的長い寸法で第二スリット６、６を作成したものとなした点が異なる。また該スリット６の上端部分から上方の一定範囲（Ｓ）、即ち５ｃｍ〜１５ｃｍ範囲（Ｓ）に於ける網目を細目編みに編成した点が異なる。この網目の大きさは凡そ１ｍｍ〜８ｍｍとなされる。この理由は切断時のほつれ止めや、該部を手持ちしたり、肩掛けしたりするさいに細目の部分が手指や肩になじみ易くて違和感の無いものとなる上で優れる。なお、上記第二スリットは第１スリット２と同様にして作成されるのであるが、その長さ寸法Ｌ２は凡そ２０ｃｍ〜３５ｃｍとなされる。
【００１６】
上記左右方向（イ）（ロ）へ分離した手持ち部分の上端縁は、そのままの状態で製品化することも差し支えないが、対合面を絞り込み状態に封塞ｐ’させて手持ちに便ならしめたりする。
【００１７】
図８は上記の品物を入れた使用状態図であって、上記構成の第二スリット６は手指差し込み用或いは肩掛け用として使用したりして、色々と変化ある使用の対応を可能にするものとなる。
【００１８】
図９は本発明になる買物用袋を折り畳んだ状態の斜視図である。即ち本発明の買物用袋は無結節の菱目編みや亀甲編みによる構成のため、不使用時は図示例の如く小さく巻き込んだ形状にしてポケットやハンドバッグなどへ簡便に収納させることができるのであり、携帯性にも優れたものとなる。 
【図面の簡単な説明】
【００１９】
【図１】本発明に係る買物用袋の作成図である。
【図２】図１の下端を絞り込んで作成した製品斜視図である。
【図３】上記買物用袋の使用説明図である。
【図４】上記買物用袋の使用説明図である。
【図５】買物用袋に品物を入れて手持ち部分を結んだ状態図である。
【図６】買物用袋に品物を入れて手持ち部分を結んだ状態図である。
【図７】他の例に係る買物用袋の作成図である。
【図８】上記例の製品斜視図である。
【図９】本発明に係る買物用袋の不使用時の斜視図である。
【符号の説明】
【００２０】
１    買物用袋
２    第一スリット
３    筒体
４    下端部
５    手持ち部分
６    第二スリット
７    買物籠
８    手持ち部分
【図１】
2008036313.tif 000003
【図２】
2008036313.tif 000004
【図３】
2008036313.tif 000005
【図４】
2008036313.tif 000006
【図５】
2008036313.tif 000007
【図６】
2008036313.tif 000008
【図７】
2008036313.tif 000009
【図８】
2008036313.tif 000010
【図９】
2008036313.tif 000011